(57)【特許請求の範囲】
【請求項１】
被加熱物を加熱する加熱手段と、
加熱手段の加熱のオンオフを操作する加熱操作手段と、
器具本体の主電源のオンオフを操作する電源操作手段と、
被加熱物の加熱方法や加熱時間を含む加熱条件を設定入力する設定入力手段と、
設定入力手段にて設定された加熱条件に基づいて加熱手段の出力熱量やオン時間を調整する自動調理動作の制御手段と、
自動調理実行中の動作情報を記憶する記憶手段と、
器具本体の動作情報や設定入力手段にて設定された加熱条件を報知する報知手段とを備え、
自動調理実行中に加熱のオフ操作或いは主電源のオフ操作がなされた場合は自動調理を中断させると共に、自動調理を再開可能な復帰制限時間を、自動調理実行中に加熱手段がオフ状態になったことを示す自動調理中断情報と共に報知手段により報知させ、自動調理の中断時間が復帰制限時間に達するまでの間に自動調理復帰操作がなされた場合は自動調理を中断時の動作情報に基づいて再開させると共に、前記報知を中止させる構成とした、加熱調理器。
【請求項２】
請求項１に記載の加熱調理器において、
所定の解除操作がなされた場合に、自動調理を中断時の動作情報に基づいて再開させる自動調理復帰機能を解除させる構成とした、加熱調理器。
【発明の詳細な説明】
【技術分野】
【０００１】
本発明は、加熱調理器、特に、予め設定された加熱条件に基づいて加熱手段の出力熱量やオン時間を自動で調整する機能を備えた加熱調理器に関する。
【背景技術】
【０００２】
従来、コンロやグリル装置などの加熱調理器において、被加熱物の加熱条件を使用者が任意に設定入力し、その設定された加熱条件に基づいて加熱手段の出力熱量やオン時間を自動で調整する自動調理機能を備えたものが知られている（例えば、特許文献１から３参照）。
【０００３】
詳述すると、例えば、食材など被加熱物の加熱方法（調理モード）や加熱時間、加熱温度を設定する設定入力手段と、調理容器や加熱庫内の温度を検出する温度検出手段と、加熱手段のオン時間を計測する計時手段とを備え、温度検出手段の検出温度が所定温度に達した場合や加熱手段のオン時間が所定時間に達した場合に、加熱手段を自動でオフにするように構成されている。このものでは、調理中、使用者が被加熱物の加熱状態を頻繁に監視する必要がないから、自動調理機能を備えていない加熱調理器に比べて使い勝手が格段に高い。
【先行技術文献】
【特許文献】
【０００４】
【特許文献１】特開２０１５−２１３５５４号公報
【特許文献２】特開２０１５−４９０３０号公報
【特許文献３】特開２０１０−１２７４８８号公報
【発明の概要】
【発明が解決しようとする課題】
【０００５】
しかしながら、この種の従来の加熱調理器では、自動調理中に意図せず加熱のオフ操作や電源のオフ操作がなされ、加熱手段がオフにされてしまうと、調理を再開するにあたって、その時点における被加熱物の加熱状態や経過時間から必要とされる残りの加熱量や加熱時間を使用者により判断し、加熱手段の出力熱量やオン時間を設定し直すか、或いは、被加熱物の加熱状態を監視しながら調理を継続しなければならなかった。
【０００６】
しかも、自動調理中に加熱手段がオフにされたときの被加熱物の加熱状態は、それまでの加熱量や加熱時間によって大きく異なるため、必要とされる残りの加熱量や加熱時間を使用者が適切に判断するのは難しい。従って、調理を再開する際の加熱手段の出力熱量やオン時間の設定によっては、調理の仕上がり状態にばらつきが生じる可能性もあった。
【０００７】
本発明は、上記課題を鑑みてなされたものであり、その目的は、予め設定された加熱条件に基づいて加熱手段の出力熱量やオン時間を自動で調整する機能を備えた加熱調理器において、使い勝手および調理性能の向上を図ることにある。
【課題を解決するための手段】
【０００８】
本発明は、被加熱物を加熱する加熱手段と、加熱手段の加熱のオンオフを操作する加熱操作手段と、器具本体の主電源のオンオフを操作する電源操作手段と、被加熱物の加熱方法や加熱時間を含む加熱条件を設定入力する設定入力手段と、設定入力手段にて設定された加熱条件に基づいて加熱手段の出力熱量やオン時間を調整する自動調理動作の制御手段と、自動調理実行中の動作情報を記憶する記憶手段と、器具本体の動作情報や設定入力手段にて設定された加熱条件を報知する報知手段とを備え、自動調理実行中に加熱のオフ操作或いは主電源のオフ操作がなされた場合は自動調理を中断させると共に、自動調理を再開可能な復帰制限時間を、自動調理実行中に加熱手段がオフ状態になったことを示す自動調理中断情報と共に報知手段により報知させ、自動調理の中断時間が復帰制限時間に達するまでの間に自動調理復帰操作がなされた場合は自動調理を中断時の動作情報に基づいて再開させると共に、前記報知を中止させる構成とした加熱調理器である。
【０００９】
このものでは、自動調理中に意図せず加熱のオフ操作や主電源のオフ操作がなされ、自動調理が中断されても、復帰制限時間内に自動調理復帰操作を行い、加熱手段を加熱オンの状態にすれば、引き続き自動調理を中断時の状態から再開させる自動調理復帰機能を備えているから、加熱手段の出力熱量やオン時間を手動で設定し直す必要がないし、残りの加熱量や加熱時間を使用者が判断する必要もない。
【００１１】
しかも、このものでは、自動調理中に意図せず加熱のオフ操作や主電源のオフ操作がなされ、自動調理が中断された場合は、加熱手段がオフ状態になったことを示す自動調理中断情報と共に、自動調理を再開可能な復帰制限時間を報知させるから、使用者に対して自動調理を中断時から再開可能であることや、どの時点までに自動調理の復帰処理を行う必要があるのかを明確に認識させることができる。
【００１２】
また、好ましくは、上記加熱調理器において、所定の解除操作がなされた場合に、自動調理を中断時の動作情報に基づいて再開させる自動調理復帰機能を解除させる構成とする。
【００１３】
このものでは、自動調理復帰機能を解除すれば、自動調理中に加熱のオフ操作や主電源のオフ操作が行われても、自動調理中断情報や復帰制限時間が報知されないから、自動調理中、使用者の意思で加熱のオフ操作や主電源のオフ操作を行ったにもかかわらず、自動調理中断情報や復帰制限時間が報知されるといった煩わしさを解消することができる。
【発明の効果】
【００１４】
以上のように、本発明によれば、自動調理中に意図せず加熱手段を加熱オフの状態にしてしまっても、復帰制限時間内であれば加熱手段の出力熱量やオン時間を設定し直す必要がないから、使い勝手が良い。また、残りの加熱量や加熱時間を使用者が判断する必要もないから、調理の仕上がり状態にばらつきも生じ難い。
【図面の簡単な説明】
【００１５】
【図１】図１は、本発明の実施の形態に係る加熱調理器の概略斜視図である。
【図２】図２は、本発明の実施の形態に係る加熱調理器の側面視概略縦断面図である。
【図３】図３は、本発明の実施の形態に係る加熱調理器の概略構成図である。
【図４】図４は、本発明の実施の形態に係る加熱調理器における自動調理中断時の制御動作を示す第１のフローチャートである。
【図５】図５は、本発明の実施の形態に係る加熱調理器における自動調理中断時の制御動作を示す第２のフローチャートである。
【図６】図６は、本発明の実施の形態に係る加熱調理器における自動調理中断時の制御動作を示す第３のフローチャートである。
【図７】図７は、本発明の実施の形態に係る加熱調理器における自動調理中断時の情報表示部の表示例を示す図である。
【発明を実施するための形態】
【００１６】
次に、上記した本発明を実施するための形態について、添付図面を参照しながら詳述する。
【００１７】
図１および図２に示すように、本発明の実施の形態に係る加熱調理器１は、天板１１の上面に単数或いは複数のコンロバーナ２１を有するガスコンロであって、本体ケース１０には、食材のグリル調理を行うためのグリル庫３０が設けられている。また、グリル庫３０の内部には、単数或いは複数のグリルバーナ３１が組み込まれている。尚、本明細書では、本体ケース１０の前面（本体前面）１３を加熱調理器１の正面とし、加熱調理器１を正面側から見たときの本体ケース１０の奥行き方向を前後方向、幅方向を左右方向、高さ方向を上下方向という。
【００１８】
コンロバーナ２１およびグリルバーナ３１は、何れもガスの燃焼排ガスを熱源として食材や調理容器などの被加熱物を加熱するバーナであり、ガス配管から供給されるガスを空気と混合して着火させ、燃焼排ガスを生成する。
【００１９】
天板１１の上面におけるコンロバーナ２１の外周には、鍋やフライパンなどの調理容器を下方から支持する五徳２２が載置されている。また、コンロバーナ２１の中央部には、五徳２２上に載置された調理容器の底部に当接し、容器底面の温度を検出する鍋底温度センサ２３が設けられている。さらに、コンロバーナ２１の炎孔形成部の近傍には、ガスの燃焼炎の有無を検出する炎検知センサ２４と、炎孔形成部の近傍で火花放電させる点火プラグ（図示せず）とが設けられている。
【００２０】
天板１１の下面側の中央前寄りの位置には、加熱調理器１の動作情報や後述する設定入力スイッチ４６により設定された加熱条件を表示する報知手段としての情報表示部４１が設けられている。また、本体ケース１０の内部には、加熱調理器１の動作情報を音声にて報知する報知手段としての音声出力部４２が組み込まれている。
【００２１】
グリル庫３０内の後部（奥側）には、庫内の温度を検出する庫内温度センサ３３が設けられている。また、グリルバーナ３１の炎孔形成部の近傍には、ガスの燃焼炎の有無を検出する炎検知センサ３４が設けられている。
【００２２】
本体前面１３には、加熱調理器１の主電源のオンおよびオフを手動操作するための電源操作手段としての電源スイッチ４３と、コンロバーナ２１の点火や消火、火力調整を手動操作するための加熱操作手段としてのコンロ点消火操作子４４と、グリルバーナ３１の点火や消火、火力を手動操作するための加熱操作手段としてのグリル点消火操作子４５とが設けられている。尚、上記加熱調理器１では、本体前面１３におけるグリル庫３０の右側に電源スイッチ４３およびコンロ点消火操作子４４が配設され、本体前面１３におけるグリル庫３０の左側にグリル点消火操作子４５が配設されている。
【００２３】
また、本体前面１３には、下辺部を軸として前後に開閉する開閉扉１４が設けられており、さらに開閉扉１４の内側には、コンロバーナ２１およびグリルバーナ３１による被加熱物の加熱条件を設定入力するための設定入力手段として設定操作パネル４０が設けられている。即ち、本体前面１３には、開閉扉１４を開くことで本体ケース１０の前方へ露出し、開閉扉１４を閉じることで本体ケース１０の内部に格納隠蔽される設定操作パネル４０が設けられている。尚、上記加熱調理器１では、本体前面１３におけるコンロ点消火操作子４４の配設部下方にコンロバーナ２１用の設定操作パネル４０が組み込まれ、本体前面１３におけるグリル点消火操作子４５の配設部下方にグリルバーナ３１用の設定操作パネル４０が組み込まれている。
【００２４】
電源スイッチ４３は、常に本体前面１３よりも前方へ突出した状態で設けられており、一回押される毎に加熱調理器１の主電源がオンの状態とオフの状態とで交互に切り替わる。
【００２５】
コンロ点消火操作子４４およびグリル点消火操作子４５は、本体ケース１０内に埋没した加熱オフの状態（図１中の「中央のコンロ点消火操作子４４、左側のコンロ点消火操作子４４、グリル点消火操作子４５」の状態）からさらに後方へ押し込むことで、本体前面１３より前方へ突出して加熱オンの状態（図１中の「右側のコンロ点消火操作子４４」の状態）になり、加熱オンの状態から再び後方へ押し戻すことで、上記加熱オフの状態になる。
【００２６】
コンロ点消火操作子４４およびグリル点消火操作子４５にはそれぞれ、点火操作によりオンとなり、消火操作によりオフとなるオルタネートスイッチと、複数（例えば、９つ）の接点を有するロータリースイッチとを備えており、点火操作がなされた後、左右に回動させれば、その回動位置に対応する火力が選択設定される。
【００２７】
設定操作パネル４０には、被加熱物の加熱方法（調理モード）や加熱時間、加熱温度など自動調理の加熱条件を設定入力する設定入力手段としての設定入力スイッチ４６と、設定入力スイッチ４６により設定された加熱時間や加熱温度を表示する設定表示部４７と、後述する自動調理復帰機能の解除および設定を切り替えるための解除スイッチ４８とが設けられている。
【００２８】
設定入力スイッチ４６は、湯沸し、煮物、揚物、炊飯などの調理モードを選択設定するための調理モード設定スイッチ、被加熱物の加熱時間を設定するためのタイマ設定スイッチ、被加熱物の加熱温度を設定するための温度設定スイッチ、設定された加熱時間や加熱温度を加減するための加減スイッチなどからなり、これら各スイッチを用いて被加熱物の加熱条件を設定入力することができる。
【００２９】
図３に示すように、本体ケース１０の内部には、コンロ点消火操作子４４による点火操作や消火操作、火力設定操作に応じてコンロバーナ２１へのガスの供給量を調整するコンロバーナ２１用のバルブユニット２５と、グリル点消火操作子４５による点火操作や消火操作、火力設定操作に応じてグリルバーナ３１へのガスの供給量を調整するグリルバーナ３１用のバルブユニット３５とが組み込まれている。
【００３０】
コンロバーナ２１用のバルブユニット２５は、コンロ点消火操作子４４にて点火操作がなされれば開き、炎検知センサ２４にてガスの燃焼炎が検出されなくなれば閉じる電磁開閉弁、コンロ点消火操作子４４にて点火操作がなされれば開き、消火操作がなされれば閉じる主弁、コンロ点消火操作子４４の火力設定操作に合わせて開度調整されるニードル弁、制御回路５０からの火力変更の指示に応じて開度を切り替える火力切替弁などからなり、これら各弁体によってコンロバーナ２１へのガスの供給量が適宜調整される。グリルバーナ３１用のバルブユニット３５も同様、グリル点消火操作子４５にて点火操作がなされれば開き、炎検知センサ３４にてガスの燃焼炎が検出されなくなれば閉じる電磁開閉弁、グリル点消火操作子４５にて点火操作がなされれば開き、消火操作がなされれば閉じる主弁、グリル点消火操作子４５の火力設定操作に合わせて開度調整されるニードル弁、制御回路５０からの火力変更の指示に応じて開度を切り替える火力切替弁などからなり、これら各弁体によってグリルバーナ３１へのガスの供給量が適宜調整される。
【００３１】
本体ケース１０の内部には、加熱調理器１全体の動作を制御する制御回路５０が組み込まれている。鍋底温度センサ２３、炎検知センサ２４，３４、庫内温度センサ３３、バルブユニット２５，３５、情報表示部４１、音声出力部４２、電源スイッチ４３、コンロ点消火操作子４４、グリル点消火操作子４５、設定入力スイッチ４６、設定表示部４７、および、解除スイッチ４８は、何れも電気配線を通じて制御回路５０に接続されている。
【００３２】
制御回路５０は、各バーナ２１，３１の点火や消火、火力設定を行うバーナ制御部、情報表示部４１および設定表示部４７の表示を制御する表示制御部、音声出力部４２の音声出力を制御する音声制御部、炎検知センサ２４，３４の出力値に基づいて各バーナ２１，３１の点火や消火を判定する点消火判定部、鍋底温度センサ２３の検出温度に基づいて五徳２２上に載置された調理容器の温度状態を判定する鍋温度判定部、庫内温度センサ３３の検出温度に基づいてグリル庫３０内の温度状態を判定する庫内温度判定部、設定入力スイッチ４６により設定された加熱条件に基づいてバーナ２１，３１の火力や燃焼時間を自動で調整する自動調理機能の動作制御部等の回路構成を有している。
【００３３】
さらに、制御回路５０は、選択された調理モードやバーナ２１，３１の設定火力、燃焼時間など自動調理実行中における加熱調理器１の動作情報を記憶する記憶部、自動調理実行中のバーナ２１，３１の燃焼時間が設定燃焼時間に達したか否かを判定する燃焼時間計測部、上記燃焼時間が調理モードを変更可能な所定の変更制限時間に達したか否かを判定する変更制限時間計測部、自動調理実行中に所定の自動調理中断操作がなされたか否かを判定する自動調理中断操作判定部、自動調理中断操作がなされた時点からの経過時間が所定の報知切替時間に達したか否かを判定する報知切替時間計測部、自動調理中断操作がなされた時点からの経過時間が自動調理を再開可能な所定の復帰制限時間に達したか否かを判定する復帰制限時間計測部、自動調理中断中に所定の自動調理復帰操作がなされたか否かを判定する自動調理復帰操作判定部、解除スイッチ４８にて自動調理復帰機能の解除操作としてオフ操作がなされたか否かを判定する解除操作判定部等の回路構成を有している。
【００３４】
上記制御回路５０による自動調理実行時の制御動作を、コンロバーナ２１が用いられた場合を中心に図４から図６に示すフローチャートに従って説明する。尚、電源スイッチ４３にて主電源のオン操作がなされる前の主電源がオフの状態（ＳＴ１のステップでＮｏ）では、情報表示部４１は表示オフの状態となっている。
【００３５】
電源スイッチ４３により主電源のオン操作がなされると（ＳＴ１のステップでＹｅｓ）、制御回路５０の主制御プログラムが起動し、各バーナ２１，３１が点火可能な状態となる。また、情報表示部４１には、バーナ２１，３１毎の加熱条件を表示するための表示窓７１を表示させる（ＳＴ１、図７の表示Ａ）。
【００３６】
その後、例えば、コンロバーナ２１に対応する設定入力スイッチ４６の調理モード設定スイッチによって調理モードが選択設定されると（ＳＴ２のステップでＹｅｓ）、情報表示部４１の対応するコンロバーナ２１用の表示窓７１に、設定された調理モードを示すアイコン７２や文字表記７３（以下、「設定調理モード７２，７３」という）、調理が終了するまでの所要時間（設定燃焼時間）７４を表示させる（ＳＴ２〜ＳＴ３、図７の表示Ｂ）。
【００３７】
さらに、対応するコンロ点消火操作子４４にて点火操作がなされると（ＳＴ４のステップでＹｅｓ）、点火プラグから火花放電させると共に、対応するバルブユニット２５の電磁開閉弁および主弁を開き、且つ、上記点火操作に連動してニードル弁の開度が所定の点火時開度に調整される。その結果、コンロバーナ２１に設定量のガスが空気と共に供給され、上記火花放電により点火される。また、対応する炎検知センサ３４にて燃焼炎が検知されると、対応するコンロバーナ２１の燃焼時間が設定燃焼時間（例えば、１０分）に達したか否かの監視を開始する（ＳＴ４〜ＳＴ５）。
【００３８】
尚、図示しないが、上記燃焼時間の監視の開始に合わせて、音声出力部４２から「自動調理を開始した」旨を音声にて報知させる。
【００３９】
一方、調理モードが選択設定される前（ＳＴ２のステップでＮｏ）、或いは、点火操作がなされる前（ＳＴ４のステップでＮｏ）に、電源スイッチ４３にて主電源のオフ操作がなされた場合は（ＳＴ６のステップでＹｅｓ）、情報表示部４１の全表示をオフにして、運転を終了する（ＳＴ６〜ＳＴ７）。
【００４０】
尚、図示しないが、調理モードが選択設定される前（ＳＴ２のステップでＮｏ）にコンロバーナ２１が点火された場合は、対応するコンロ点消火操作子４４にて消火操作がなされるか、電源スイッチ４３にて主電源のオフ操作がなされるか、或いは、何らかの原因により失火し、対応する炎検知センサ３４にて燃焼炎が検知されなくなるまで燃焼状態を維持する。即ち、手動調理の状態で調理が続けられる。その間、情報表示部４１には、バーナ２１，３１毎の加熱条件を表示するための表示窓７１のみが表示される（図７の表示Ａ）。
【００４１】
調理モードが選択設定された状態でコンロバーナ２１が点火され、自動調理が開始されると、コンロバーナ２１の燃焼時間が設定燃焼時間に達するか、或いは、自動調理中断操作として、対応するコンロ点消火操作子４４にて消火操作がなされるか、電源スイッチ４３にて主電源のオフ操作がなされるまで、選択された調理モードの加熱条件に基づいて自動調理が行われる（ＳＴ８〜ＳＴ１０）。
【００４２】
尚、図示しないが、自動調理の開始後、コンロバーナ２１の燃焼時間が予め設定された変更制限時間（例えば、９０秒）に達するまでの間に、設定入力スイッチ４６の調理モード設定スイッチによって他の調理モードが選択設定された場合は、その変更後の調理モードの加熱条件に基づいて自動調理が行われる。また、情報表示部４１の対応するコンロバーナ２１用の表示窓７１には、変更された設定調理モード７２，７３、および、調理が終了するまでの所要時間（設定燃焼時間）７４を表示させる。そして、コンロバーナ２１の燃焼時間が予め設定された変更制限時間に達した場合は、設定入力スイッチ４６による調理モードの変更操作の受付を終了し、変更制限時間内に設定された調理モードの加熱条件に基づいて自動調理が行われる。
【００４３】
自動調理の開始後、コンロバーナ２１の燃焼時間が設定燃焼時間に達した場合は（ＳＴ８のステップでＹｅｓ）、対応するバルブユニット２５の電磁開閉弁を閉じてコンロバーナ２１へのガスの供給を強制的に停止し、消火させる。また、情報表示部４１の対応するコンロバーナ２１用の表示窓７１から設定調理モード７２，７３、および、調理終了までの所要時間７４の表示を消去し、表示窓７１のみ表示された状態に戻す（ＳＴ１１〜ＳＴ１２、図７の表示Ａ）。
【００４４】
尚、図示しないが、上記情報表示部４１の表示の変更に合わせて、音声出力部４２から「自動調理が終了した」旨を音声にて報知させる。
【００４５】
その後、電源スイッチ４３にて主電源のオフ操作がなされれば（ＳＴ６のステップでＹｅｓ）、情報表示部４１の全表示をオフにして、運転を終了する（ＳＴ６〜ＳＴ７）。
〔自動調理実行中の消火操作について〕
自動調理の開始後、コンロバーナ２１の燃焼時間が設定燃焼時間に達するまでの間に、対応するコンロ点消火操作子４４にて消火操作がなされた場合は（ＳＴ９のステップでＹｅｓ）、上記ＳＴ１１のステップと同様、対応するコンロバーナ２１を消火させる。また、このとき、コンロバーナ２１の燃焼時間が変更制限時間に達していない場合は（ＳＴ１４のステップでＮｏ）、調理モードが確定された状態ではないため、上記ＳＴ１２のステップにて設定調理モード７２，７３や所要時間７４の表示の消去を行い、自動調理を中止する（ＳＴ１３〜ＳＴ１４、図７の表示Ａ）。
【００４６】
また、自動調理の開始後、対応するコンロバーナ２１が消火された時点で、上記燃焼時間が変更制限時間に達しており、調理モードが確定された状態であっても（ＳＴ１４のステップでＹｅｓ）、解除スイッチ４８にてオフ操作がなされており、自動調理復帰機能がオフの状態である場合は（ＳＴ１５のステップでＹｅｓ）、上記ＳＴ１２のステップを行い、自動調理を中止する（ＳＴ１５、図７の表示Ａ）。
【００４７】
一方、自動調理の開始後、対応するコンロバーナ２１が消火された時点で燃焼時間が変更制限時間に達しており（ＳＴ１４のステップでＹｅｓ）、且つ、復帰機能解除スイッチ４８にてオフ操作もなされておらず、自動調理の復帰機能がオンの状態である場合は（ＳＴ１５のステップでＮｏ）、自動調理を中断してその時点におけるコンロバーナ２１の設定火力や燃焼時間などの動作情報を記憶すると共に、情報表示部４１の全体に、上記各バーナ２１，３１用の表示窓７１や設定調理モード７２，７３、調理終了までの所要時間７４などの表示に代えて、「自動調理が中断された」ことを示す注意メッセージ７５、自動調理が取り消されるまでの残り時間（復帰制限時間）７６、および、自動調理を再開させるための復帰手順７７（例えば、「自動調理を続ける場合は１５秒以内に再点火をしてください」）を表示させる（ＳＴ１６、図７の表示Ｃ）。
【００４８】
尚、図示しないが、上記情報表示部４１における注意メッセージ７５および復帰手順７７の表示に合わせて、音声出力部４２からも同様の注意メッセージおよび復帰手順を音声にて報知させる。
【００４９】
コンロバーナ２１の消火後、所定の報知切替時間（例えば、５秒）が経過すれば（ＳＴ１７のステップでＹｅｓ）、上記注意メッセージ７５や残り時間７６、復帰手順７７に代えて、バーナ２１，３１毎の加熱条件を表示するための表示窓７１を情報表示部４１に再度表示させる。また、対応するコンロバーナ２１用の表示窓７１に、「自動調理が取り消される」ことを示す予告メッセージ７８、および、自動調理が取り消されるまでの残り時間（復帰制限時間）７６を表示させる。このように、バーナ２１，３１の消火操作により自動調理が中断された場合は、迅速且つ容易に自動調理の復帰操作（ここでは、対応するコンロバーナ２１の点火操作）が行えるよう、所定時間が経過した段階で自動的に、注意メッセージ７５や残り時間７６、復帰手順７７を情報表示部４１の全体に表示した状態から、自動調理取消の予告メッセージ７８や残り時間７６を対応するコンロバーナ２１の表示窓７１に個別に表示させた状態に切り替える（ＳＴ１７〜ＳＴ１８、図７の表示Ｄ）。
【００５０】
さらに、コンロバーナ２１の消火後、所定の復帰制限時間（例えば、１５秒）が経過した場合、即ち、復帰制限時間内にコンロバーナ２１の再点火操作がなされなかった場合は（ＳＴ１９のステップでＹｅｓ）、情報表示部４１の対応するコンロバーナ２１用の表示窓７１から自動調理取消の予告メッセージ７８および残り時間７６の表示を消去し、表示窓７１のみ表示された状態に戻すと共に、音声出力部４２から「自動調理が終了した」旨を音声にて報知させ、自動調理を中止する（ＳＴ１９〜ＳＴ２０、図７の表示Ａ）。
【００５１】
一方、上記報知切替時間内或いは復帰制限時間内に、コンロバーナ２１の再点火操作がなされた場合は（ＳＴ２１のステップでＹｅｓ）、上記ＳＴ５のステップと同様、対応するコンロバーナ２１を点火させる。また、情報表示部４１の表示を、対応するコンロバーナ２１の表示窓７１に設定調理モード７２，７３、および、調理終了までの所要時間７４を表示させた状態に切り替えて、自動調理を中断時の作動情報に基づいて再開させる（ＳＴ２１〜ＳＴ２３、図７の表示Ｂ）。
【００５２】
尚、上記のように自動調理を中断時の作動情報に基づいて再開させる自動調理復帰機能により自動調理が再開された場合は、変更制限時間の計測をリセットし、その時点から改めてコンロバーナ２１の燃焼時間が変更制限時間に達したか否かの判定を開始する。従って、その間（変更制限時間内）に対応するコンロバーナ２１が再度消火された場合は、上記ＳＴ１１のステップが行われ、自動調理は中止される。このように、再点火が行われてから変更制限時間が経過するまでの間は、自動調理復帰機能が働かないように構成されている。
【００５３】
上記報知切替時間内或いは復帰制限時間内に、電源スイッチ４３により主電源のオフ操作がなされた場合は（ＳＴ２４のステップでＹｅｓ）、情報表示部４１の全表示をオフにして、運転を終了する（ＳＴ２４〜ＳＴ２５）。
〔自動調理実行中における主電源のオフ操作について〕
自動調理の開始後、コンロバーナ２１の燃焼時間が設定燃焼時間に達するまでの間に、電源スイッチ４３にて主電源のオフ操作がなされた場合は（ＳＴ１０のステップでＹｅｓ）、上記ＳＴ１１のステップと同様、対応するコンロバーナ２１を消火させる。また、このとき、コンロバーナ２１の燃焼時間が変更制限時間に達していない場合は（ＳＴ２７のステップでＮｏ）、調理モードが確定された状態ではないため、情報表示部４１の全表示をオフにして、運転を終了する（ＳＴ２６〜ＳＴ２７，ＳＴ２５）。
【００５４】
自動調理の開始後、電源スイッチ４３にて主電源のオフ操作がなされた時点で、上記燃焼時間が変更制限時間に達しており、調理モードが確定された状態であっても（ＳＴ２７のステップでＹｅｓ）、解除スイッチ４８にてオフ操作がなされており、自動調理の復帰機能がオフの状態である場合は（ＳＴ２８のステップでＹｅｓ）、情報表示部４１の全表示をオフにして、運転を終了する（ＳＴ２８，ＳＴ２５）。
【００５５】
一方、自動調理の開始後、電源スイッチ４３にて主電源のオフ操作がなされた時点で燃焼時間が変更制限時間を経過しており（ＳＴ２７のステップでＹｅｓ）、且つ、解除スイッチ４８にてオフ操作もなされておらず、自動調理の復帰機能がオンの状態である場合は（ＳＴ２８のステップでＮｏ）、上記ＳＴ１６のステップと同様、情報表示部４１の全体に、「自動調理が中断された」ことを示す注意メッセージ７５、自動調理が取り消されるまでの残り時間（復帰制限時間）７６、および、自動調理を再開させるための復帰手順７７（例えば、「自動調理を続ける場合は１５秒以内に電源を入れ、再点火をしてください」）を表示させる（ＳＴ２８〜ＳＴ２９、図７の表示Ｃ）。
【００５６】
尚、図示しないが、上記情報表示部４１における注意メッセージ７５および復帰手順７７の表示に合わせて、音声出力部４２からも同様の注意メッセージおよび復帰手順を音声にて報知させる。
【００５７】
その後、所定の復帰制限時間（例えば、１５秒）が経過した場合、即ち、復帰制限時間内にコンロバーナ２１の再点火操作がなされなかった場合は（ＳＴ３０のステップでＹｅｓ）、情報表示部４１の全表示をオフにして、運転を終了する。即ち、自動調理の復帰機能がオンの状態において、自動調理を開始してから所定時間（変更制限時間）経過後に主電源のオフ操作がなされた場合は、その時点から所定の復帰制限時間が経過するのを待って情報表示部４１の全表示をオフにし、運転を終了させる（ＳＴ３０，ＳＴ２５）。
【００５８】
一方、上記復帰制限時間内に電源スイッチ４３にて主電源のオン操作がなされた場合は（ＳＴ３１のステップでＹｅｓ）、上記注意メッセージ７５や残り時間７６、復帰手順７７に代えて、バーナ２１，３１毎の加熱条件を表示するための表示窓７１を情報表示部４１に再度表示させる。また、対応するコンロバーナ２１用の表示窓７１に、設定調理モード７２，７３を表示させると共に、自動調理が取り消されるまでの残り時間（復帰制限時間）７６を表示させる。このように、電源スイッチ４１による主電源のオフ操作により自動調理が中断された場合は、容易に自動調理の復帰操作が行えるよう、電源スイッチ４１にて再び主電源のオン操作がなされた段階で、情報表示部４１の表示を、対応するコンロバーナ２１の表示窓７１に自動調理が取り消されるまでの残り時間７６を表示させた状態に切り替える（ＳＴ３１〜ＳＴ３２、図７の表示Ｅ）。
【００５９】
そしてさらに、上記復帰制限時間内に、コンロバーナ２１の再点火操作がなされた場合は（ＳＴ３３のステップでＹｅｓ）、上記ＳＴ５のステップと同様、対応するコンロバーナ２１を点火させる。また、自動調理が取り消されるまでの残り時間７６に代えて、調理終了までの所要時間７４を情報表示部４１に表示させ、自動調理を中断時の動作情報に基づいて再開させる（ＳＴ３３〜ＳＴ３５、図７の表示Ｂ）。
【００６０】
上記復帰制限時間内に、電源スイッチ４３によって主電源のオフ操作がなされた場合は（ＳＴ３６のステップでＹｅｓ）、情報表示部４１の全表示をオフにして、運転を終了する（ＳＴ３６，ＳＴ２５）。
【００６１】
このように、上記加熱調理器１によれば、自動調理中に意図せず消火操作や主電源のオフ操作がなされ、自動調理が中断された場合でも、復帰制限時間内に自動調理復帰操作として主電源をオンにした状態で点火操作を行い、対応するバーナ２１，３１を点火すれば、引き続き自動調理を中断時の状態から再開することができるから、バーナ２１，３１の火力や燃焼時間を手動で設定し直す必要がない。よって、使い勝手が良好である。また、被加熱物の残りの加熱量や加熱時間を使用者が判断する必要もないから、調理の仕上がり状態にばらつきも生じ難い。
【００６２】
さらに、自動調理中に意図せず消火操作や主電源のオフ操作がなされ、自動調理が中断された場合は、その旨を示す注意メッセージや対応するバーナ２１，３１の設定調理モードなどの自動調理中断情報と共に、自動調理が取り消されるまでの復帰制限時間を表示や音声にて報知させるから、使用者に対して自動調理を中断時から再開可能であることや、どの時点までにどのバーナ２１，３１の自動調理を復帰させる必要があるのかを明確に認識させることができる。よって、使い勝手が一層良好である。
【００６３】
尚、上記実施の形態では、コンロバーナ２１における自動調理中断時の制御動作について説明したが、グリルバーナ３１においても同様の自動調理中断時の制御動作がなされる。
【００６４】
また、上記実施の形態では、自動調理復帰機能の解除および設定を切り替えるために設定操作パネル４０に設けられた解除スイッチ４８のオフ操作によって、自動調理復帰機能が解除されるように構成されたものを説明したが、設定入力スイッチ４６の長押しや複数同時押しなど、設定入力スイッチ４６の特定の操作によって自動調理復帰機能が解除されるように構成されたものとしてもよい。
【００６５】
また、上記実施の形態では、被加熱物を加熱する加熱手段として、ガスの燃焼排ガスを熱源とするバーナが用いられたものを説明したが、上記バーナに代えて、電熱部からの輻射熱や伝導熱により被加熱物を加熱する電熱ヒータが用いられたものであってもよいし、電磁誘導により被加熱物を加熱する電磁誘導ヒータが用いられたものであってもよい。また、バーナや電熱ヒータ、電磁誘導ヒータが組み合わせて用いられたものであってもよい。
【符号の説明】
【００６６】
１      加熱調理器（器具本体）
２１    コンロバーナ（加熱手段）
３０    グリル庫
３１    グリルバーナ（加熱手段）
４１    情報表示部（報知手段）
４２    音声出力部（報知手段）
４３    電源スイッチ（電源操作手段）
４４    コンロ点消火操作子（加熱操作手段）
４５    グリル点消火操作子（加熱操作手段）
４６    設定入力スイッチ（設定入力手段）
５０    制御回路（制御手段）
【図１】
0006637770.tif 000002
【図２】
0006637770.tif 000003
【図３】
0006637770.tif 000004
【図４】
0006637770.tif 000005
【図５】
0006637770.tif 000006
【図６】
0006637770.tif 000007
【図７】
0006637770.tif 000008